(57)【要約】【課題】簡単に所望の方向に光の照射方向を変更することが容易な照明装置、簡単に所望の方向に構造物の向きを変更することが容易な電子機器、及び、照明装置を搭載した自動車を提供することを課題の一例とする。【解決手段】  光源２と、接触体（ユーザの指）が接触する接触面３と、を備え、光源２の照射方向が、接触体が接触面３に接触した位置に対応する方向に変更される。また、光源２と、接触体が接触する接触面３と、を備え、光源２の向きが、接触体が接触面３に接触した位置に対応する方向に変更される。【選択図】図３
2014237350.tif 000002
【特許請求の範囲】
【請求項１】
光源と、接触体が接触する接触面と、を備え、
光の照射方向が、前記接触体が前記接触面に接触した位置に対応する方向に変更されることを特徴とする照明装置。
【請求項２】
構造物と、接触体が接触する接触面と、を備え、
前記構造物の向きが、前記接触体が前記接触面に接触した位置に対応する方向に変更されることを特徴とする電子機器。
【請求項３】
前記接触面は、前記光源の周囲に設けられていることを特徴とする請求項１に記載の照明装置。
【請求項４】
前記接触面の内周部の内側から前記光源の光が照射されることを特徴とする請求項３に記載の照明装置。
【請求項５】
前記接触体が前記接触面に触れた位置に対応する方向へ前記光源が向けられることを特徴とする請求項４に記載の照明装置。
【請求項６】
前記光源を駆動して、光の照射方向を変更する駆動要素を備え、
前記光源は、前記駆動要素により前記接触体が前記接触面に接触した位置に対応する方向へ向けられることを特徴とする請求項５に記載の照明装置。
【請求項７】
前記光源が取り付けられた回転体を備え、
前記駆動要素が、前記回転体を回転させることにより、前記光源を駆動することを特徴とする請求項６に記載の照明装置。
【請求項８】
前記回転体が、第１の回転部材と、前記第１の回転部材と接触する第２の回転部材と、を備え、
前記第１の回転部材の回転軸及び前記第２の回転部材の回転軸は互いに交差する又はねじれの関係を有しており、
前記第１の回転部材又は前記第２の回転部材を介して、前記光源が、前記駆動要素により回転することを特徴とする請求項７に記載の照明装置。
【請求項９】
前記光源を直接又は他の部材を介して支持する筐体をさらに備え、
前記筐体は、開口を有する筐体本体と、前記開口を覆うカバーと、を備え、
前記カバーは、前記回転体が配置される孔部を備え、
前記接触面は、前記回転体と前記カバーの孔部の内周部との間に配置されていることを特徴とする請求項８に記載の照明装置。
【請求項１０】
前記接触面は、環状に形成されていることを特徴とする請求項９に記載の照明装置。
【請求項１１】
前記変更される光源の光の軌跡は、所定の形状を有することを特徴とする請求項１０に記載の照明装置。
【請求項１２】
前記所定の形状は、矩形状に設けられていることを特徴とする請求項１１に記載の照明装置。
【請求項１３】
前記接触面に取り付けられた接触センサを備え、
前記接触センサが前記接触面に触れた位置に対応する方向に前記回転体を回転させることを特徴とする請求項１２に記載の照明装置。
【請求項１４】
前記接触面は、複数の突起部を備える部材を備え、
前記接触センサに前記突起部が接触することを特徴とする請求項１３に記載の照明装置。
【請求項１５】
請求項３に記載の照明装置が天井に設けられていることを特徴とする自動車。
【発明の詳細な説明】
【技術分野】
【０００１】
本発明は、照明装置、電子機器及び自動車に関するものである。
【背景技術】
【０００２】
従来、自動車や飛行機などに取り付けられる照明装置として、手動で光源を動かして、その照射方向を変更できる読書灯が知られている（特許文献１）。しかしながら、特許文献１で提案された技術は、手動で光源を動かす必要があるため、ユーザが簡易に所望の方向に光の照射方向を変更することが困難である、という問題が一例として挙げられる。
【０００３】
また、光源と、手の掌を検出する撮像部と、を一体に設け、撮像部で検出した手の掌に向けて光を照射するように光源を駆動させる読書灯も知られている（特許文献２）。しかしながら、特許文献２で提案された技術では、撮像部の撮影範囲に限界があり、座席毎に撮像部を設置する必要がある、という問題が一例として挙げられる。
【０００４】
また、ランプシェードの触れた部分が点灯する照明器具も知られている（特許文献３）。しかしながら、この照明器具は触れた部分した点灯させることができないため、ユーザが簡易に所望の方向に光の照射方向を変更することが困難である、という問題が一例として挙げられる。
【先行技術文献】
【特許文献】
【０００５】
【特許文献１】実用新案登録第２５６４１０２号公報
【特許文献２】特開２０１１−３７３８６号公報
【特許文献３】特表２０１２−５３３８４４号公報
【発明の概要】
【発明が解決しようとする課題】
【０００６】
そこで、本発明は、例えば、簡単に所望の方向に光の照射方向を変更することが容易な照明装置、簡単に所望の方向に構造物の向きを変更することが容易な電子機器、及び、照明装置を搭載した自動車を提供することを課題の一例とする。
【課題を解決するための手段】
【０００７】
課題を解決するために、請求項１に記載された照明装置は、光源と、接触体が接触する接触面と、を備え、光の照射方向が、前記接触体が前記接触面に接触した位置に対応する方向に変更されることを特徴とする。
【０００８】
請求項２に記載された電子機器は、構造物と、接触体が接触する接触面と、を備え、前記構造物の向きが、前記接触体が前記接触面に接触した位置に対応する方向に変更されることを特徴とする。
【図面の簡単な説明】
【０００９】
【図１】本発明の電子機器としての照明装置の一実施形態を示す斜視図である。
【図２】図１に示す照明装置からカバーを除いた状態を示す斜視図である。
【図３】図１に示す照明装置から筐体を除いた状態における断面斜視図である。
【図４】図１に示す照明装置を構成する回転体からドーム部、内カバー及び外カバーを取り除いた状態を示す斜視図である。
【図５】図４を別角度からみた斜視図である。
【図６】図４及び図５に示すパンカバーとパンプレートの分解斜視図である。
【図７】図１に示す照明装置を構成する回転体を示す斜視図である。
【図８】図７に示す回転体から内カバー及び外カバーを取り除いた状態を示す斜視図である。
【図９】図１に示す照明装置の電気構成図である。
【図１０】（Ａ）は接触面に区分した領域を示す図であり、（Ｂ）は（Ａ）に示す領域と第１の偏角及び第２の偏角との関係を示すテーブルである。
【図１１】図９に示す制御部の処理手順を示すフローチャートである。
【図１２】（Ａ）及び（Ｂ）はそれぞれ、図１の照明装置の自動車内での設置位置を説明するための図である。
【図１３】他の実施例における照明装置の概略断面図である。
【図１４】他の実施例における接触面（接触センサ）の概略図である。
【図１５】他の実施例における照明装置の概略斜視図である。
【図１６】他の実施例における照明装置の概略斜視図である。
【発明を実施するための形態】
【００１０】
以下、本発明の一実施形態にかかる照明装置、電子機器を説明する。本実施形態の照明装置は、光源と、接触体が接触する接触面と、を備え、光の照射方向が、接触体が接触面に接触した位置に対応する方向に変更される。
【００１１】
これにより、接触面に接触するだけで簡単に光の照射方向を変更することができる。
【００１２】
また、本実施形態の電子機器は、構造物と、接触体が接触する接触面と、を備え、構造物の向きが、接触体が接触面に接触した位置に対応する方向に変更される。
【００１３】
これにより、接触面に接触するだけで簡単に構造物の向きを変更することができる。
【００１４】
また、接触面は、光源の周囲に設けられていてもよい。また、接触面の内周部の内側から光源の光が照射されるようにしてもよい。これにより、特定の座席の位置に限定されず、ユーザが座る位置に向けて光を照射することができる。また、ユーザが接触面の接触位置と光の照射方向との関係を把握し易い。
【００１５】
また、接触体が接触面に触れた位置に対応する方向へ光源が向けられるようにしてもよい。また、光源を駆動して、光の照射方向を変更する駆動要素をさらに備え、光源は、駆動要素により接触体が接触面に接触した位置に対応する方向へ向けられるようにしてもよい。また、光源が取り付けられた回転体をさらに備え、駆動要素が、回転体を回転させることにより、光源を駆動するようにしてもよい。これにより、簡単に光の照射方向を変更することができる。
【００１６】
また、回転体が、第１の回転部材と、第１の回転部材と接触する第２の回転部材と、を備え、第１の回転部材の回転軸及び第２の回転部材の回転軸は互いに交差する又はねじれの関係を有しており、第１の回転部材又は第２の回転部材を介して、光源が、駆動要素により回転するようにしてもよい。これにより、光源を任意の方向に向けることができる。
【００１７】
また、光源を直接又は他の部材を介して支持する筐体をさらに備え、筐体は、開口を有する筐体本体と、開口を覆うカバーと、を備え、カバーは、回転体が配置される孔部を備え、接触面は、回転体とカバーの孔部の内周部との間に配置されるようにしてもよい。これにより、ユーザが居る位置に向けて光を照射することができる。また、ユーザが接触面の接触位置と光の照射方向との関係を把握し易い。特に自動車内においては、特定の座席の位置に限定されず、ユーザが座る位置に向けて光を照射することができる。また、ユーザが接触面の接触位置と光の照射方向との関係を把握し易い点について、自動車内においても同様にユーザは把握し易い。
【００１８】
また、接触面は、環状に形成されていてもよい。また、接触面に接触した位置毎に対応する方向に変更された光源の光がたどった跡（光の軌跡）は、所定の形状とし、その所定形状が矩形状であってもよい。これにより、ユーザが居る位置が予め決められている、ユーザの居る位置を予測又は予想される、又はユーザが居ることが予定される空間内において、ユーザが居る位置、ユーザが予想又は予測される位置、ユーザが居ることが予定される位置に向けて効率的に光を照射できる。
【００１９】
また、接触面に取り付けられた接触センサを備え、接触センサが接触面に触れた位置に対応する方向に回転体を回転させるようにしてもよい。
【００２０】
また、接触センサは、複数の突起部を備える部材を備え、接触センサが突起部に接触するようにしてもよい。これにより、接触感度を向上させ、ユーザの指が触れた位置を精度良く検出することができる。
【００２１】
本実施形態の自動車は、照明装置が天井に設けられている。
【実施例】
【００２２】
次に、上述した電子機器としての照明装置について、図１〜図８を参照して以下説明する。図１〜図３などに示すように、照明装置１は、構造物としての光源２と、接触体（ユーザの指）が接触する接触面３と、筐体４と、光源２が取り付けられ、光源２の向きを変更するために筐体４に回転自在に取り付けられた回転体５と、を備えている。
【００２３】
光源２は、図３などに示すように、例えばＬＥＤやランプなど光源本体２１と、光源本体２１を支持する光源筐体２２と、を備えている。光源本体２１は、光源筐体２２上に取り付けられている。光源筐体２２は、略箱型に設けられ、その外面に後述する回転体５に係止するための係止爪（図示せず）が設けられている。
【００２４】
接触面３は、図１〜図３などに示すように、板状の接触部材６のうち後述するカバー４２の孔部４２ａから露出している部分を言う。本実施例では、この接触面３は環状に形成されている。接触面３上には接触センサ７が取り付けられている。この接触面３は、光源２の周囲に設けられている。接触面３（即ち接触部材６）はその内側（図示の例では中央）に孔部３ａが設けられ、その孔部３ａを通過して光源２の光が外へ照射されるようになっている。
【００２５】
接触部材６は、図２及び図３などに示すように、ホルダ８に保持されている。このホルダ８は、板状に設けられ、接触部材６を嵌め込むことができる凹部８ａが設けられている。この凹部８ａに接触部材６を嵌め込むと、接触部材６とホルダ８とが係止されて、接触部材６がホルダ８に保持される。このホルダ８には孔部８ｂが設けられていて、凹部８ａに接触部材６を嵌め込むとホルダ８の孔部８ｂと接触面３の孔部３ａとが重なる。この孔部３ａ、８ｂ内に、光源２が取り付けられた後述する回転体５が配置される。
【００２６】
筐体４は、後述する回転体５を介して光源２を支持している。筐体４は、開口に設けられた筐体本体４１と、筐体本体４１の開口を覆うカバー４２と、を備えている。カバー４２とホルダ８とは、図１及び図２に示すように、互いに重ねた状態で筐体本体４１の開口を覆うように取り付けられる。このとき、ホルダ８は、カバー４２よりも筐体本体４１側になるように重ねられる。カバー４２には、ホルダ８に保持された接触部材６の接触面３を露出すると共に、後述する回転体５が配置される孔部４２ａが設けられている。この孔部４２ａから接触面３が露出され、ユーザがこの接触面３に接触できる。孔部４２ａは、接触面３に設けた孔部３ａよりも大きく設けられ、孔部４２ａの内側に接触面３に設けた孔部３ａが配置される。
【００２７】
回転体５は、図４〜図８に示すように、筐体本体４１に固定される支持部材としてのパンカバー５１と、パンカバー５１に接触して回転自在に保持される第１の回転部材としてのパンプレート５２と、パンプレート５２に接触して回転自在に保持される第２の回転部材としての回転部材５３と、パンカバー５１に支持される筒状部材としての内カバー５４及び外カバー５５（図３）と、を備えている。
【００２８】
パンカバー５１は、図６などに示すように、支持部材本体としての円板状のパンカバー本体５１ａと、後述する外カバー５５の外側面に係止するための係止部５１ｂと、を備えている。パンカバー本体５１ａの内側（実施例の例では中央）には、後述するパンプレート５２に設けた回転ギアＧ２１に噛み合う固定ギアＧ１が取り付けられている。固定ギアＧ１は、接触面３と垂直な軸周りにギア溝（歯）が設けられている。そして、パンプレート５２に設けた回転ギアＧ２１が回転して、固定ギアＧ１周りに移動することにより、パンプレート５２は接触面３を通過する方向（実施例では接触面３と垂直な方向）を回転軸として回転する。
【００２９】
また、パンカバー本体５１ａには、固定ギアＧ１を中心としたスパイラル状のスクロール溝５１ｃが設けられている。このスクロール溝５１ｃには、シャフト９のネジ頭が係止され、シャフト９はスクロール溝５１ｃに沿って移動自在に取り付けられる。このシャフト９の先端は後述するパンプレート５２に設けた長孔５２ｃに挿入されている。これにより、パンプレート５２が回転すると、シャフト９がスクロール溝５１ｃに沿って移動する。そして、シャフト９がスクロール溝５１ｃの端部に当接すると、パンプレート５２がそれ以上回転できないようになっている。また、係止部５１ｂは、パンカバー本体５１ａの外周部から複数突設されている。
【００３０】
パンプレート５２は、図６などに示すように、パンカバー本体５１ａ上に重ねられる円板状のパンプレート本体５２ａと、後述する回転部材５３を回転自在に支持するため、パンプレート本体５２ａに突設された一対の支持部５２ｂと、を備えている。パンプレート本体５２ａには、上述したシャフト９の先端部を挿入するための長孔５２ｃと、その中央にパンカバー５１に設けた固定ギアＧ１を通すための貫通孔５２ｄ（図６）と、が設けられている。長孔５２ｃは、図６に示される例では径方向に延在して形成されている。
【００３１】
また、パンプレート本体５２ａには、図４及び図５に示すように、上述した回転ギアＧ２１と、この回転ギアＧ２１を回転させるための駆動要素としてのモータＭ１と、モータＭ１の回転力を回転ギアＧ２１に伝達するための回転ギアＧ２２〜Ｇ２７と、が取り付けられている。回転ギアＧ２１は、上述したように貫通孔５２ｄを通ってパンプレート本体５２ａ側に配置された固定ギアＧ１と噛み合う。モータＭ１は、その回転軸に回転ギアＧ２２と噛み合うネジ切り部１０が設けられている。このネジ切り部１０は、螺旋状の溝を備える。回転ギアＧ２１〜Ｇ２７は、回転自在にパンプレート本体５２ａに支持されている。
【００３２】
また、回転ギアＧ２２及び回転ギアＧ２３、回転ギアＧ２４及び回転ギアＧ２５、回転ギアＧ２７及び回転ギアＧ２１、はそれぞれ、同軸に設けられいて、一方が回転すると他方も回転する。また、回転ギアＧ２３及び回転ギアＧ２４、回転ギアＧ２５及び回転ギアＧ２６と、回転ギアＧ２６及び回転ギアＧ２７と、は互いに噛み合っている。これにより、モータＭ１の回転軸が回転すると、モータＭ１の回転力が回転ギアＧ２２〜Ｇ２７を介して回転ギアＧ２１に伝達され、固定ギアＧ１に噛み合う回転ギアＧ２１が回転する。これにより、回転ギアＧ２１が、固定ギアＧ１周りに回転し、上述したようにパンプレート５２が接触面３に対して交差する方向（図示の例では折衝面３と垂直な方向）を回転軸として回転する。
【００３３】
また、パンプレート本体５２ａには、図４などに示すように、後述する回転部材５３を回転させるための駆動要素としてのモータＭ２と、モータＭ２の回転を回転部材５３に伝達するため回転ギアＧ３１〜Ｇ３４と、が設けられている。モータＭ２には、その回転軸に回転ギアＧ３１と噛み合うネジ切り部１１が設けられている。このネジ切り部１１は、螺旋状の溝を備える。
【００３４】
また、回転ギアＧ３１及びＧ３２、回転ギアＧ３３及びＧ３４、はそれぞれ、同軸に設けられていて、一方が回転すると他方も回転する。また、回転ギアＧ３２及びＧ３３は、互いに噛み合っている。さらに、回転ギアＧ３４は、後述する回転部材５３に設けられた固定ギアＧ４に噛み合うように設けられている。これら回転ギアＧ３１〜Ｇ３４は、パンプレート本体５２ａに固定されたプレート１２に回転自在に取り付けられている。
【００３５】
回転部材５３は、図３などに示すように、光源２の光が通過する開口と、光源２が取り付けられる光源取付部５３ａと、光源取付部５３ａの外側に設けられるドーム部（傘）５３ｂと、を備えている。光源取付部５３ａは、図４、図５などに示すように、筒状に設けられ、筒長さ方向の一端から突出する係止部５３ａ１を備えている。この係止部５３ａ１には、光源筐体２２に設けた係止爪が係止され、筒状の光源取付部５３ａ内に光源２が配置される。光源取付部５３ａ内に取り付けられた光源２からの光は、光源取付部５３ａの係止部５３ａ１に対して内側にある開口から外に照射される。
【００３６】
光源取付部５３ａの外側面には、一対の回転軸５３ｃが外部に向かって突設されていて、この一対の回転軸５３ｃが一対の支持部５２ｂに回転自在に支持されている。これにより、光源取付部５３ａがパンプレート５２の回転軸と直交する軸を回転軸として回転自在に取り付けられる。なお、本実施例では、パンプレート５２の回転軸と回転部材５３の回転軸とが直交しているが、直交している必要はなく、交差しているだけでもよい。また、交差している必要もなく、ねじれの関係になっていてもよい。
【００３７】
この一対の回転軸５３ｃの一方には、固定ギアＧ４が取り付けられている。この固定ギアＧ４が、上述した回転ギアＧ３４に噛み合う。これにより、モータＭ２の回転軸が回転すると、その回転力が回転ギアＧ３１〜Ｇ３４及び固定ギアＧ４を介して回転軸５３ｃに伝達され、回転軸５３ｃが回転し、回転部材５３が回転する。
【００３８】
ドーム部５３ｂは、パンプレート５２から離れるに従って径が小さくなる逆円錐状、即ち略ドーム状に形成されていている。このドーム部５３ｂ内には、光源取付部５３ａが配置され、ドーム部５３ｂは光源取付部５３ａに支持されている。このドーム部５３ｂの小径側（光源２の光の放射側）の開口の位置は、光源取付部５３ａの開口の位置と重なっている。上述した接触面３に設けた孔部３ａやカバー４２に設けた孔部４２ａ内にはこのドーム部５３ｂの一部が配置される。
【００３９】
内カバー５４は、図３に示すように、筒状に設けられた筒部５４ａと、筒部５４ａのパンプレート５２側の端部から外部に向けて突出するフランジ部５４ｂと、筒部５４ａのパンプレート５２から離れた側に連なるドーム部５４ｃと、から構成されている。筒部５４ａは、パンプレート本体５２ａの外周部に沿って立設するように配置される。フランジ部５４ｂは、パンプレート５２上に重ねられる。ドーム部５４ｃは、パンプレート５２から離れるに従って径が小さくなる筒状に設けられている。このドーム部５４ｃの小径側の開口には、ドーム部５３ｂが配置されている。
【００４０】
外カバー５５は、筒部５４ａの外側を覆う筒部５５ａと、筒部５５ａのパンプレート５２から離れた側の端部から外側に向けて突出するフランジ部５５ｂと、を備える。筒部５５ａの外側面には、上述したパンカバー５１に設けた係止部５１ｂが係止される係止爪５５ａ１（図７）が設けられている。
【００４１】
このとき、図３に示すように、内カバー５４のフランジ部５４ｂ上に外カバー５５の筒部５５ａの端部が重ねられることにより、パンプレート５２がパンカバー５１から落ちないようになっている。以上の構成によれば、パンプレート５２を回転させると光源２の第１の偏角θを変更することができ、図１０に示すように、回転部材５３を回転させると光源２の第２の偏角γを変更することができる。なお、本実施例では動径ｒは一定としている。
【００４２】
次に、上述した構成の照明装置１の電気構成について、図９を参照して説明する。同図に示すように、照明装置１は、上述した光源２、モータＭ１、Ｍ２及び接触センサ７に設けられた接触センサ７に接続された制御部１３をさらに備えている。制御部１３は例えばマイクロコンピュータから構成され、接触センサ７からの出力に応じてモータＭ１、Ｍ２を制御している。
【００４３】
本実施例では、制御部１３は、ユーザの指が接触面３にタップ（例：１回目の接触）したことを検出すると、光源２を点灯させる。また、制御部１３は、図１０（ａ）に示すように、接触面３を孔部３ａに沿ってａ〜ｚの領域に区分し、接触センサ７の出力からユーザの指が接触面３に接触した時においてどの領域ａ〜ｚにユーザが接触したかを検出する。
【００４４】
また、制御部１３が読み出し可能なメモリなどの記憶手段には、図１０（ｂ）に示すような、対応角度テーブルが記録されている。対応角度テーブルは、上述した接触面３の領域ａ〜ｚに対応する第１の偏角θ（パンプレート５２の回転角度）と、第２の偏角γ（回転部材５３の回転角度）と、が記録されている。制御部１３は、ユーザが接触した領域ａ〜ｚを検出すると、その領域ａ〜ｚに対応した第１の偏角θ、第２の偏角γを対応角度テーブルから読み出し、読み出した第１の偏角θになるようにモータＭ１を制御し、読み出した第２の偏角γとなるようにモータＭ２を制御する。
【００４５】
制御部１３は、光源２点灯中にユーザの指が接触面３にタップホールド（例：２回目の接触）したことを検出すると、光源２を消灯する。また、光源２点灯中にユーザの指が接触面３にダブルタップしたことを検出すると、制御部１３は光源２の照射方向を真下に向けるようにしてもよい。また、ユーザの指が接触面３上をドラッグしたことを検出すると、連続的に照射方向が変更するようにしてもよい。
【００４６】
次に、上述した構成の照明装置１の詳細な動作について図１１を参照して説明する。同図に示すように、制御部１３は、ユーザがタップした接触面３上の位置Ｐを取得する（ステップＳ１）。その後、制御部１３は、図１０（ｂ）に示す対応角度テーブルを参照して、ａ≦Ｐ＜ｂであれば（ステップＳ２でＹｅｓ）、第１の偏角θ＝０°、第２の偏角γ＝５５°に設定する（ステップＳ３）。一方、ｂ≦Ｐ＜ｃであれば（ステップＳ４でＹｅｓ）、第１の偏角θ＝３０°、第２の偏角γ＝４５°に設定する（ステップＳ５）。また、ｙ≦Ｐ＜ｃであれば（ステップＳ６でＹｅｓ）、第１の偏角θ＝３００°、第２の偏角γ＝５５°に設定する（ステップＳ７）。ｙ≦Ｐ＜ｃでもなければ(ステップＳ６でＮｏ)、第１の偏角θ＝３３０°、第２の偏角γ＝４５°に設定する（ステップＳ８）。位置Ｐが領域ｃ〜ｙの間も同様に対応角度テーブルを参照して第１の偏角θ、第２の偏角γを設定するが、図１１では図示を省略している。
【００４７】
第１の偏角θ、第２の偏角γを設定すると制御部１３は、設定された角度にパンプレート５２、回転部材５３を動かすようにモータＭ１、Ｍ２を制御して、光源２の照射方向を設定した第１の偏角θ、第２の偏角γに向けさせる（ステップＳ９）。
【００４８】
照明装置１は、図１２に示すように、自動車の天井Ｒに取り付けられている。本実施例では、運転席Ｓ１、助手席Ｓ２、運転席側後部座席Ｓ３、助手席側後部座席Ｓ４の中央の天井Ｒに配置されている例について説明する。照明装置１の光源２は回転体５に取り付けられ、回転体５を回転させることにより、ユーザの指が接触面３に接触した位置に対応する方向に光源２を向けて、光源２からの光の照射方向Ｙを変更することができる。即ち、図１２に示すように、接触面３のうち助手席側後部座席Ｓ４に近い位置を接触すると、光源２からの光の照射方向Ｙが助手席側後部座席に向く。
【００４９】
なお、本実施例では、図１２に示すように、接触面３に接触した位置毎に対応する方向に変更された光源の光がたどった跡（光の軌跡）Ｌが、各座席Ｓ１〜Ｓ４をたどることで矩形状の跡になるように、対応角度テーブルが設けられている。即ち、ユーザが接触面３を孔部３ａに沿って一周ドラッグしたときの光源２の光の軌跡Ｌが矩形状となり、自動車などに配置された複数の座席に対して効率的に光を照射することができる。
【００５０】
上述した実施例によれば、光源２からの光の照射方向Ｙが、ユーザの指が接触面３に接触した位置に対応する方向に変更される。これにより、接触面３に接触するだけで簡単に光の照射方向を変更することができる。
【００５１】
また、上述した実施例によれば、接触面３は、光源２の周囲に設けられている。また、接触面３には、孔部３ａが設けられ、接触面３の孔部３ａから光源２の光が照射される。これにより、特定の座席の位置に限定されず、ユーザが座る位置に向けて光を照射することができる。また、ユーザが接触面３の接触位置と光の照射方向との関係を把握し易い。
【００５２】
また、上述した実施例によれば、ユーザの指が接触面３に触れた位置に対応する方向へ光源２が向けられる。また、光源２を駆動して、光の照射方向を変更するモータＭ１、Ｍ２を備え、光源２は、モータＭ１、Ｍ２によりユーザの指が接触面３に接触した位置に対応する方向へ向けられている。また、光源２が取り付けられた回転体５を備え、モータＭ１、Ｍ２が、回転体５を回転させることにより、光源２を駆動している。これにより、簡単に光の照射方向を変更することができる。
【００５３】
また、上述した実施例によれば、回転体５が、パンプレート５２と、パンプレート５２と接触する回転部材５３と、を備え、パンプレート５２の回転軸及び回転部材５３の回転軸は互いに交差する又はねじれの関係を有しており、パンプレート５２又は回転部材５３を介して、光源２が、モータＭ１、Ｍ２により回転している。これにより、光源２を任意の方向に向けることができる。
【００５４】
また、上述した実施例によれば、光源２を回転体５を介して支持する筐体４を備え、筐体４は、開口を有する筐体本体４１と、開口を覆うカバー４２と、を備え、カバー４２は、回転体５が配置される孔部４２ａを備え、接触面３は、回転体５とカバー４２の孔部４２ａの内周部との間に配置されている。これにより、ユーザが居る位置に向けて光を照射することができる。また、ユーザが接触面３の接触位置と光の照射方向との関係を把握し易い。特に自動車内においては、特定の座席の位置に限定されず、ユーザが座る位置に向けて光を照射することができる。また、ユーザが接触面の接触位置と光の照射方向との関係を把握し易い点について、自動車内においても同様にユーザは把握し易い。
【００５５】
なお、上述の空間の具体例としては、住宅内のリビング等の室内の空間、自動車内の空間などが挙げられる。また、ユーザが居る位置、ユーザが居ることが予想又は予測される位置、又はユーザが居ることが予定されている位置の例として、室内のテーブルの周囲、室内に置かれた複数の椅子、自動車に配置された座席などが挙げられる。
【００５６】
なお、光源の向きを変更することは、実施例では光源の光軸を変更すること、光の放射口の向きを変更すること、光源が光源本体のカバーを備えている場合、カバーが有する放射面の向きを変更することを含む。
【００５７】
なお、上述した回転体５は、一例であり、光源２の向きを変更できるような構成であれば他の構成であってもよい。例えば、光源２が取り付けられた球状の回動体を備え、駆動要素が、回動体を回動させることにより、光源２を駆動するようにしてもよい。これにより、簡単に光の照射方向を変更することができる。駆動要素は、回動体に接触する球体と、２以上のモータ、モータに直接連結されているネジ切り部を有する。２以上のネジ切り部は螺旋状の溝を有していてもいなくても構わなく、球体を回動できる程度の摩擦力、密着力等を有していれば良い。また、２以上のネジ切り部のうち少なくとも２つは、交差している、または、ねじれの関係になる。これらネジ切り部は球体に接触することで、２以上のモータの回転をネジ切り部を介して球体に伝達する。これにより球体は３６０度回動する。また、本実施例では、球座標方式であったが直交座標方式、円柱座標系式のものであってもよい。
【００５８】
なお、上述したタップ、タップホールドは、例えば、タップは１回目（奇数回目）の接触であり、タップホールドは２回目（偶数回目）の接触であるとする場合、タップはユーザの指が接触面３０に短時間だけ接触している状態であり、タップホールドは長時間接触している状態である場合、等が挙げられる。
【００５９】
また、上述した回転体５としては、第１の偏角θ、第２の偏角γの双方を変更できるものであったが、本発明はこれに限ったものではない。設置する場所や用途によっては、第２の偏角γだけ変えられるようになっていてもよい。また、動径ｒは一定であったが、変動させても構わない。
【００６０】
また、上述した実施形態では、接触センサ７は接触面３上に設けられていたが、これに限ったものではない。例えば、図１３に示すように、接触部材６において接触面３の裏面に接触センサ７を設けて、この接触センサに部材１４に設けた突起部１４Ａを接触させるようにしてもよい。この部材１４としては、図１に示す実施例では、ホルダ８が用いることが考えられる。突起部１４Ａは、複数設けられ、接触面３に沿って環状に並べて配置されている。これにより、接触感度を向上させ、ユーザの指が触れた位置を精度良く検出することができる。
【００６１】
また、接触センサ７が接触面３を備えていても構わない。
【００６２】
また、接触面３は、上述の実施形態では閉じた環状の形状に形成されているが、開いた環状の形状であっても構わない。開いた環状の形状とは、例えば図１４のように、始点と終点を有する環状の形状が挙げられる。具体的には、線状の接触センサ７を用いて、開いた環状の形状に形成することができる。
【００６３】
また、図１５のように接触面３は、光源２の光放射面側に設けられていても構わない。この場合、ユーザが接触面３に触れることで、ユーザの指が接触面３に接触した位置に対応する方向に変更される。特に、光源２と重なる位置にある接触面３の一部を触れることで、第１の偏角θ、第２の偏角γを比較的小さい範囲で変更することができる。このため、例えば照明装置を住宅の天井、車の天井に設けた場合、照明装置の真下、または真下近傍の位置に向けて光を照射することができる。
【００６４】
また、上述した実施形態では、筐体４はカバー４２を備えていたが、筐体４がカバー４２を備えず、照明装置や電子機器がカバーを別途備えていても構わない。
【００６５】
また、上述した実施例では、ドーム部５３ｂの周りに接触面３を設けていたが、これに限ったものではない。例えば、ドーム部５３ｂに接触センサ７を設け、ドーム部５３ｂ表面を接触面３とすることができる。
【００６６】
また、上述した実施例では、光源２としては、ＬＥＤなど点発光するものを用いていたが、これに限ったものではない。例えば、光源２として有機ＥＬパネルなどの面発光するものを用い、ドーム部５３ｂ表面に光源２としての有機ＥＬパネルを取り付け、さらに有機ＥＬパネル上に接触センサ７を設け、ドーム部５３ｂ表面を接触面３とすることも考えられる。
【００６７】
なお、上述した実施例では、構造物として、光源２を例に挙げて説明していたが、これに限ったものではない。例えば、構造物としては、他に受光面を有するカメラや光の反射面を有するドアミラーなどが考えられ、これら受光面又は反射面を接触面３に接触した位置に向けさせることも考えられる。
【００６８】
また、上述した実施例では、光源２を駆動して、光源２の向きを変更することにより、光の照射方向を変更していたが、本発明はこれに限ったものではない。例えば、図１６に示すように、光源２を駆動しなくても光の照射方向を変えられる。
【００６９】
図１６に示す例では、光源２の構成が大きく異なる。光源２としては、フレキシブルな有機ＥＬパネルなどから構成された曲面光源１５を用いている。上述した実施例と同様に、接触面３には孔部３ａが設けられ、この孔部３ａ内に曲面光源１５が配置されている。また、この孔部３ａを有することで、接触面３は内周部を備える。これにより、この孔部３ａ（内周部の内側）から曲面光源１５からの光が照射される。
【００７０】
この曲面光源１５は、湾曲して設けられている。また、この曲面光源１５は、点線で示すように複数の領域に区分され、区分された領域毎に点灯、消灯を制御できるようになっている。以上の構成により、点灯している領域によって光の照射方向を変更することができる。また、上述した実施例と同様に、この曲面光源１５は、マイクロコンピュータなどの制御部によって制御され、制御部は、ユーザの指が接触面３に接触した位置に対応した曲面光源１５の一部の領域を点灯する。
【００７１】
図１６に示す例では、曲面光源１５は、その中央が突出するように湾曲して設けられている。これは、住宅や自動車の天井に配置することを想定した形状であり、これにより、図１２に示す位置に配置すると、各席Ｓ１〜Ｓ４に曲面光源１５の領域が向くようになっている。
【００７２】
以上の構成によれば、室内又は自動車内の座席に近い側の領域のみを点灯させると、曲面光源１５からの光は、座席（例：運転席Ｓ１）に向かって照射される。以上のように曲面光源１５を用いても、上述した実施例と同様に、効率的に光を照射することができる。しかも、曲面光源１５を用いた場合、複数の座席Ｓ１〜Ｓ４に向かって同時に光を照射することもできる。
【００７３】
上述した図１６に示す曲面光源１５の湾曲形状はその一例に過ぎない。曲面光源１５の形状は、設置場所やそのとき向けたい場所により対応していればよい。
【００７４】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００７５】
１  照明装置（電子機器）
２  光源（構造物）
３  接触面
３ａ  孔部
４  筐体
５  回転体
７  接触センサ
１４Ａ  突起部
４１  筐体本体
４２  カバー
４２ａ  孔部
５２  パンプレート（第１の回転部材）
５３  回転部材（第２の回転部材）
Ｍ１  モータ（駆動要素）
Ｍ２  モータ（駆動要素）
Ｙ  照射方向
【図１】
2014237350.tif 000003
【図２】
2014237350.tif 000004
【図３】
2014237350.tif 000005
【図４】
2014237350.tif 000006
【図５】
2014237350.tif 000007
【図６】
2014237350.tif 000008
【図７】
2014237350.tif 000009
【図８】
2014237350.tif 000010
【図９】
2014237350.tif 000011
【図１０】
2014237350.tif 000012
【図１１】
2014237350.tif 000013
【図１２】
2014237350.tif 000014
【図１３】
2014237350.tif 000015
【図１４】
2014237350.tif 000016
【図１５】
2014237350.tif 000017
【図１６】
2014237350.tif 000018